(57)【特許請求の範囲】
【請求項１】
浴槽内の湯水を熱交換器に循環させて加熱するとともに濾過器を通して濾過する構成とした風呂装置であって、
前記浴槽の湯水を循環ポンプにより前記熱交換器に循環させることにより加熱する追焚回路と、
この追焚回路の前記熱交換器の加熱、前記循環ポンプの駆動又は停止を制御し、前記追焚回路を通して前記浴槽内の湯水の追焚きを制御する追焚制御部と、
前記浴槽の湯水を循環ポンプにより濾過器に循環させて濾過する浄化回路と、
この浄化回路の前記循環ポンプの駆動又はその停止を行う浄化制御部と、
前記浴槽の壁面部に設置され、前記浴槽から前記追焚回路及び前記浄化回路への前記湯水の吸引と、前記追焚回路又は前記浄化回路から前記浴槽内への前記湯水の吐出とを相互に分離させる単一の循環接続装置と、
を備え、前記循環接続装置が、該循環接続装置の本体部の中央に形成されて前記追焚回路の往き管側に接続され、前記浴槽内に前記湯水を吐出させる吐出口と、
この吐出口の周囲に形成されて前記追焚回路の戻り管側に接続され、前記浴槽内の前記湯水を吸引して前記追焚回路側に引き出す第１の吸引口と、
この第１の吸引口の周囲に設置されて前記浄化回路の戻り管側に接続され、前記浴槽から前記湯水を吸引して前記浄化回路側に引き出す第２の吸引口と、
前記第１の吸引口側と前記第２の吸引口側とに形成される各水流の通路間を分離させるとともに、各水流が相互に干渉しないように前記通路間を遮蔽する遮蔽手段と、
を備える構成としたことを特徴とする風呂装置。
【請求項２】
前記追焚制御部と前記浄化制御部とを制御する主制御部とともに、前記浄化回路に温度センサを備え、前記主制御部が前記温度センサの検出温度を前記浄化制御部から受けることにより前記追焚制御部の追焚動作を開始させることを特徴とする請求項１記載の風呂装置。
【発明の詳細な説明】
【０００１】
【産業上の利用分野】
本発明は、追焚き及び湯水浄化を併用して最適な入浴環境を自動化した風呂装置に関する。
【０００２】
【従来技術】
従来、風呂装置は、浴槽内の湯水を追焚きをする追焚回路を備えている。周知のように、追焚回路は、浴槽内の湯水の水位や温度を検出し、その湯水情報に基づいて加熱し、不足水量を上水側から給湯する方法が取られる。そして、浴槽内の湯水の水位は、戻り管を通して圧力センサによって検出されるのが一般的である。
【０００３】
また、風呂装置には、浴槽内の湯水の汚れを除去するため浄化回路が付設される。浄化回路は、浴槽内の湯水を濾過器に循環させて浄化し、その湯水を浴槽内に戻すものである。
【０００４】
【発明が解決しようとする課題】
ところで、追焚回路と浄化回路は、共に循環ポンプによる湯水循環を行うものである。そして、追焚動作は、浴槽内の湯水を所望の水量及び温度に到達させる制御であって、浴槽内の水位を正確に検出することが必要であり、圧力センサを用いた水位センサでは、追焚回路における湯水の脈動はその検出精度を低下させることになる。即ち、浄化回路による湯水の循環は、追焚回路における水位の検出精度を低下させ、追焚動作の信頼性を低下させるおそれがある。そのため、追焚動作と浄化動作を併用させることができない。
【０００５】
しかしながら、追焚動作と浄化動作を選択的に行うことは、非能率であって、浄化時間が短く制限される場合、浴槽内の湯水量に対する浄化能力によっては入浴者への不快感を無視することができない。
【０００６】
また、追焚回路と浄化回路とを両者の干渉を防止するように独立させて循環口を形成することは可能であるが、循環回路が複雑化する上、浴槽に複数の開口部を形成しなければならないという不都合がある。
【０００７】
そこで、本発明は、追焚回路と浄化回路との相互干渉を防止して追焚きと湯水浄化とを同時又は選択的に行うことができ、清潔で入浴に最適な環境の実現を迅速化した風呂装置を提供することを目的とする。
【０００８】
【課題を解決するための手段】
本発明の風呂装置は、浴槽内の湯水を熱交換器に循環させて加熱するとともに濾過器を通して濾過する構成とした風呂装置であって、前記浴槽の湯水を循環ポンプにより前記熱交換器に循環させることにより加熱する追焚回路と、この追焚回路の前記熱交換器の加熱、前記循環ポンプの駆動又は停止を制御し、前記追焚回路を通して前記浴槽内の湯水の追焚きを制御する追焚制御部と、前記浴槽の湯水を循環ポンプにより濾過器に循環させて濾過する浄化回路と、この浄化回路の前記循環ポンプの駆動又はその停止を行う浄化制御部と、前記浴槽の壁面部に設置され、前記浴槽から前記追焚回路及び前記浄化回路への前記湯水の吸引と、前記追焚回路又は前記浄化回路から前記浴槽内への前記湯水の吐出とを相互に分離させる単一の循環接続装置とを備え、前記循環接続装置が、該循環接続装置の本体部の中央に形成されて前記追焚回路の往き管側に接続され、前記浴槽内に前記湯水を吐出させる吐出口と、この吐出口の周囲に形成されて前記追焚回路の戻り管側に接続され、前記浴槽内の前記湯水を吸引して前記追焚回路側に引き出す第１の吸引口と、この第１の吸引口の周囲に設置されて前記浄化回路の戻り管側に接続され、前記浴槽から前記湯水を吸引して前記浄化回路側に引き出す第２の吸引口と、前記第１の吸引口側と前記第２の吸引口側とに形成される各水流の通路間を分離させるとともに、各水流が相互に干渉しないように前記通路間を遮蔽する遮蔽手段とを備える構成としたことを特徴とする。
【０００９】
また、本発明の風呂装置において、前記追焚制御部と前記浄化制御部とを制御する主制御部とともに、前記浄化回路に温度センサを備え、前記主制御部が前記温度センサの検出温度を前記浄化制御部から受けることにより前記追焚制御部の追焚動作を開始させる構成としてもよい。
【００１０】
【作用】
本発明の風呂装置は、独立した回路を成す追焚回路と浄化回路とが併設されており、これらの回路は循環接続手段を通して浴槽に接続される。循環接続手段は、追焚回路と浄化回路と湯水の吸引と浴槽側への吐出とが相互に干渉しないように設定されている。即ち、浄化回路による湯水の循環時、追焚回路側での湯水の水位検出を精度よく行うことができ、従来と同様の追焚き動作を実現できる。したがって、本発明においては、追焚回路と浄化回路とは独立して動作させることができるとともに、単独又は同時に動作させることができる。
【００１１】
本発明の風呂装置においては、循環接続手段は、追焚回路が接続される第１の吸引口と、前記浄化回路が接続される第２の吸引口、前記追焚回路及び前記浄化回路からの湯水を浴槽内に供給する吐出口を備えており、これら第１の吸引口、第２の吸引口及び吐出口の水流を遮蔽手段によって分離している。このため、追焚回路での水位検出への影響、即ち、浄化動作時の水流による脈動の影響を回避することができる。
【００１２】
【実施例】
以下、本発明を図面に示した実施例を参照して詳細に説明する。
【００１３】
図１は、本発明の風呂装置の一実施例である系統図を示している。浴槽２には、入浴に必要な湯水４が溜められる。この浴槽２の壁部には、外部回路と浴槽２内とを接続する手段として単一の循環接続装置６が設けられており、この循環接続装置６には、外部回路と浴槽２内とを結ぶ独立した通水路として吐出口６Ａ、第１及び第２の吸引口６Ｂ、６Ｃが形成されている。そして、この風呂装置には、循環接続装置６を通して浴槽２に対して給湯回路８、追焚回路１０、浄化回路１２及び空気供給回路１４が形成されている。即ち、吐出口６Ａには、往き管１６を通して給湯回路８及び追焚回路１０が接続され、また、吸引口６Ｂには追焚回路１０の戻り管１８、吸引口６Ｃには浄化回路１２の戻り管２０が接続されている。
【００１４】
給湯回路８には、上水導入管２２から上水圧を以て導入される水２４を加熱する手段として給湯側熱交換器２６が設置されている。この熱交換器２６は、加熱源であるバーナ２８の燃焼によって加熱され、バーナ２８には燃料比例弁３０を通して燃焼ガスが供給される。バーナ２８の発熱量は、燃料比例弁３０の開閉度による燃料供給量によって制御される。この熱交換器２６によって加熱された湯水４の温度は、熱交換器２６の出湯側に設置されている温度センサ３２によって検出される。
【００１５】
熱交換器２６によって加熱された湯水は、開閉弁３４を経てホッパー３６に供給される。このホッパー３６は、浴槽２側の湯水、即ち、下水側との絶縁手段である。このホッパー３６を経た湯水４は、切換弁３８を経て往き管１６を通り浴槽２の循環接続装置６から浴槽２内に供給される。単一の往き管１６を給湯回路８と追焚回路１０とで共用しているため、切換弁３８は、両者の切換手段として設置されている。
【００１６】
また、追焚回路１０には、浴槽２内の湯水４を追焚回路１０側に強制的に引き出し、循環させるための手段として循環ポンプ４０が設置されている。この循環ポンプ４０の入口側、即ち、浴槽２側の戻り管１８には、水位センサ４２及び温度センサ４４が設置されている。水位センサ４２は、戻り管１８に加わる湯水４の水圧により浴槽２内の水位を検出し、温度センサ４４は、浴槽２内の湯水４の温度を戻り管１８内を循環する湯水４を通して検出する。このような水位センサ４２及び温度センサ４４を設置するのは、浴槽２内の湯水４の温度を入浴に適正な温度に昇温又は湯量を実現するために必要な湯水情報を得るためである。
【００１７】
循環ポンプ４０の吐出側には流水スイッチ４６が設置され、循環する湯水４の有無がこの流水スイッチ４６によって検出される。この循環ポンプ４０を経た湯水４は、加熱手段である追焚用熱交換器４８に導入されて加熱される。この熱交換器４８は、加熱源であるバーナ５０の燃焼によって加熱され、バーナ５０には燃料開閉弁５２を通して燃焼ガスが供給される。バーナ５０の発熱量は、燃料開閉弁５２の開閉度による燃料給料量によって制御される。この熱交換器４８によって加熱された湯水は、切換弁３８を経て往き管１６から循環接続装置６により浴槽２内に戻される。
【００１８】
また、浄化回路１２には、浴槽２内の湯水４を戻り管２０側に引き出す第２の循環ポンプ５４が設置されている。この循環ポンプ５４の入水側、即ち、戻り管２０側には湯水４の温度を検出する温度センサ５６が設置され、また、循環ポンプ５４の吐出側には流水スイッチ５８が設置されている。循環ポンプ５４を経た湯水４は、切換弁６０を経て濾過器６２側に導かれる。濾過器６２は、密閉された容器内に湯水４の垢やゴミを除去するための手段として例えば、直径１５０μｍ〜２００μｍのガラスビーズが装填されたものであって、このガラスビーズによる湯水の通過抵抗によって垢などが除去される。
【００１９】
この濾過器６２には、戻り管２０を分岐させてバイパス路６４が切換弁６６によって形成されているとともに、切換弁６６には、湯水４を外部に排水させるための排水管６８が接続されている。
【００２０】
濾過器６２に導かれた湯水４は、切換弁６６を経て殺菌器７０に導かれる。この殺菌器７０は、殺菌媒体として紫外線を用いており、通過する湯水４に紫外線を照射して殺菌するが、他の殺菌方法を用いたものを使用してもよい。そして、湯水４は、往き管７１を通して合流部７２によって往き管１６に合流し、循環接続装置６の吐出口６Ａから浴槽２に戻される。
【００２１】
そして、空気供給回路１４には、浴槽２内の湯水４に気泡又はジェット流を発生させるための空気発生源７４が接続されている。
【００２２】
次に、図２ないし図５は、循環接続装置６の一実施例を示し、図２はその断面図、図３及び図４はその分解断面図、図５はその整流カバーの正面図を示している。この循環接続装置６は、浄化回路１２による吸引圧や吸引による湯水４の脈動圧が追焚回路１０への影響、とりわけ水位検出への悪影響を回避するとともに、構造の簡略化を実現したものである。
【００２３】
この循環接続装置６には、浴槽２の外部に装置本体７６が設置される。この装置本体７６は、浴槽２側を径大部７８とし、この径大部７８から径小部８０を突出、形成した円筒体である。径小部８０には、その軸方向に連結金具８２が取り付けられているとともに、その半径方向にはＬ字形を成す空気供給管８３が取り付けられ、連結金具８２には往き管１６が接続される。また、径大部７８には、Ｌ字形を成す連結管８４、８６が軸方向に位置をずらせて取り付けられ、各連結管８４、８６には連結金具８８、９０が固定されている。連結金具８８には戻り管１８、連結金具９０には戻り管２０が連結される。
【００２４】
装置本体７６の内部には、通路分離管９２が設置されている。この通路分離管９２は、径小部８０に対応して径大部７８側まで延長する長さの径小部９４と径大部７８の内壁部に対応する径大部９６とを備えている。この通路分離管９２の径小部９４は連結金具８２と複数の細い通水孔９５によって連通し、その周壁部には空気供給管８３に連通する凹部９７が形成され、この凹部９７には複数の空気孔９８が形成されている。空気供給管８３から供給される空気は、この空気孔９８を通して径小部９４の内部に導かれる。この径小部９４には、浴槽２側に向かって吐出管１００が連結されており、往き管１６からの湯水４がこの吐出管１００を通して浴槽２内に導かれる。また、吐出管１００は浴槽２の壁面部と直交しており、その先端部は浴槽２内に突出している。細い通水孔９５を形成したのは、吐出流速を早めるとともに、空気供給管８３から供給される空気との混合を迅速化し、気泡の発生を促進させるためである。
【００２５】
また、通路分離管９２の径大部９６には、通水孔１０２が形成されているとともに、吐出管１００と同心円状を成す通路分離管１０４が連結されており、この通路分離管１０４の内面部には通路分離管９２の径大部９６を通して連結管８４が連結され、通路分離管９２、１０４の外面部には連結管８６が連通されている。即ち、通路分離管１０４は、吐出管１００の先端部より浴槽２の壁面部側に後退しており、吐出管１００の先端部、即ち、吐出口６Ａより後退した位置に吸引口６Ｂが形成されている。
【００２６】
また、装置本体７６の内面部には、固定フランジ１０６の嵌合部１０８が浴槽２の内側から固定孔１１０を貫通させて嵌め込まれている。固定フランジ１０６と装置本体７６側のフランジ部１１２との間に浴槽２の壁面部を厚み方向に挟み込み、かつ、浴槽２の内外面側にパッキン１１４、１１６を介在させて装置本体７６と固定フランジ１０６とが浴槽２に取り付けられている。パッキン１１４、１１６によって水密化が図られている。
【００２７】
また、浴槽２の内側に設置された固定フランジ１０６の前面部には、整流カバー１１８が設置されている。この整流カバー１１８は、固定フランジ１０６を覆うとともに、その内部には嵌合筒１２０が突設されており、この嵌合筒１２０は通路分離管１０４の外面部に嵌合されて着脱可能に取り付けられている。この整流カバー１１８は、固定フランジ１０６の外面側にラジアル方向に拡開された吸水口６Ｃを形成する。この整流カバー１１８と通路分離管１０４との間には吸引口６Ｂを覆うフィルタ１２２が設置されている。また、整流カバー１１８は、図５に示すように、中央に吐出孔６Ａ及び吸引孔６Ｂに対応する通水孔１２４が形成され、この通水孔１２４の周囲には吸引孔６Ｃに対応する円弧状を成す複数の通水孔１２６が形成されている。この通水孔１２６には、フィルタを構成する網１２８が取り付けられている。
【００２８】
そして、装置本体７６の径小部８０の内壁面と通路分離管９２との間にはＯリング１３０、１３２が設置され、装置本体７６の径大部７８の内壁面と通路分離管９２の外面部との間にはＯリング１３４が設置され、通路分離管９２の内壁面と吐出管１００の外面部との間にはＯリング１３６が設置され、通路分離管９２の径大部９６の内壁部と通路分離管１０４の外面部との間にはＯリング１３８が設置されることにより、各部材の結合部の水密化が図られ、装置本体７６の内部には独立した３つの通路として吐出口６Ａを中心にその周囲に吸引口６Ｂが形成され、この吸引口６Ｂの周囲に吸引口６Ｃが形成されている。
【００２９】
次に、図６は、本発明の風呂装置の制御装置の一実施例を示している。この制御装置は、主制御部１４０とともに、給湯・追焚きを行う給湯・追焚制御部１４２と、浄化制御を行う浄化制御部１４４とを備えている。主制御部１４０は、各制御部１４２、１４４の制御を行う。各制御部１４０、１４２、１４４は、マイクロコンピュータを以て構成することができるが、アナログ回路で構成することもできる。必要な制御動作を実現する上で、その制御装置の形態はどの様なものでもよい。
【００３０】
給湯・追焚制御部１４２は給湯又は追焚きの各制御を行うものであって、給湯や追焚きのための給水、湯水循環、バーナの燃焼等の動作に関する運転命令、設定温度などの各種命令が入力され、追焚回路１０や給湯回路８の温度センサ３２、４４の検出温度や水位センサ４２の検出水位が入力され、これらの入力データに基づいて循環ポンプ４０、燃料開閉弁５２、燃料比例弁３０、各種切換弁、開閉弁に駆動指令を発する。そして、制御部１４４は浄化回路１２の動作を制御する。この浄化制御部１４４には浄化運転などの運転命令や、温度センサ５６の検出温度が入力され、これら入力命令に基づいて循環ポンプ５４、殺菌器７０の殺菌灯の点滅の他、切換弁６０、６６の切換えを行う。
【００３１】
この主制御部１４０は給湯回路８、追焚回路１０、浄化回路１２のそれぞれ、または両方の動作を指令する命令が入力される。また、給湯・追焚きの動作に必要な温度の設定、水位の設定が入力されるものである。この主制御部１４０を介して給湯・追焚制御部１４２に温度や水位の設定データが送信されると共に、給湯・追焚制御部１４２、浄化制御部１４４に運転命令を発する。
【００３２】
また、浄化回路１２の温度センサ５６によって検出された温度は主制御部１４０を介して給湯・追焚制御部１４２に送信され、給湯・追焚制御部１４２は浄化制御部１４４からの信号に基づいて追焚動作を開始する。
【００３３】
以上の構成において、風呂装置の動作を説明する。
【００３４】
図７は、浄化回路１２による浄化動作と追焚回路１０による追焚動作を示している。浄化回路１２は浄化制御部１４４の指令により、循環ポンプ５４を駆動し、殺菌器７０を動作、即ち、殺菌灯を点灯させて湯水４を殺菌するとともに、濾過器６２によって垢等を濾過し、湯水４の汚れを除く。
【００３５】
浄化回路１２を循環する湯水４の温度は温度センサ５６によって検出され、その検出温度が設定温度より低下していることを判断すると、その判断結果は浄化制御部１４４から主制御部１４０及び給湯・追焚制御部１４２に伝達される。給湯・追焚制御部１４２は、この温度データを受け取り循環ポンプ４０を駆動させ、流水スイッチ４６によって流水を確認すると燃料開閉弁５２を開いてバーナ５０の燃焼を開始させる。
【００３６】
浄化時、浴槽２の湯水４が撹拌されているため、浄化回路１２における湯水４の温度検出は正確に行われる。この検出温度が設定温度より所定温度低下したときにこの温度データに基づいて追焚回路１０が追焚きを開始して浴槽２の湯水４を加熱するため、浄化回路１２による正確な温度検出と追焚回路１０の有する燃焼能力を利用して効果的に湯水の温度を維持することができる。
【００３７】
さて、追焚き時、熱交換器４８によって加熱された湯水４は、往き管１６を介して循環接続装置６の吐出口６Ａから浴槽１０内に吐き出されるが、この加熱された湯水は合流部７２において浄化回路１２からの循環流水と合流するため、その熱量が緩和される。この結果、吐出口６Ａからの吐出湯水の温度は熱交換器４８の出湯温度より低くなる。この場合、循環接続装置６においては、中央に吐出口６Ａが形成されているが、浄化回路１２側の湯水との合流により、吐出流水の温度は快適な温度となるとともに、この吐き出し流水によって身体に適度の刺激を与えることができる。また、この吐き出しの流水には、空気発生源７４から発生させた空気を混入することによってより、気泡を混入させることができ、この気泡によっても身体に刺激を与えることができる。
【００３８】
給湯・追焚制御部１４２は温度センサ４４からの検出値と設定温度を比較し、温度センサ４４からの検出値が設定温度に到達したときは、燃料開閉弁５２を閉止してバーナ５０の燃焼を停止させ、循環ポンプ４０を停止して追焚動作を終了する。
【００３９】
次に、図８は、給湯回路８による湯水の補給と、浄化回路１２の浄化動作を示している。浄化回路１２の動作は前述した通りである。追焚回路１０の水位センサ４２から検出される浴槽２の水位は、循環接続装置６の吸引口６Ｂから戻り管１８を介して検出される静水圧力を元に判断する。
【００４０】
循環接続装置６における吸引口６Ｂと吸引口６Ｃは、整流カバー１１８、通路分離管１０４及び固定フランジ１０６を以て水流が相互に分離され、干渉しないように設定されているため、吸引口６Ｃからの吸引流水が吸引口６Ｂ側の戻り管１８内の湯水４を吸引することはなく、このため、水位センサ４２の水位検出への影響がなく、正確な水位検出を行うことができる。そして、浄化回路１２によって湯水４の浄化中にも浴槽２内の水位の検出を行うことができ、その検出に基づいて必要量の湯水４を浴槽２に正確に補給することができる。要するに、この循環接続装置６によれば、追焚回路１０の追焚き時、浄化回路１２の吸引動作を併用しても、整流カバー１１８、通路分離管１０４及び固定フランジ１０６等が通路間の遮蔽手段となって、吸引流水の回り込みや脈動を生じさせることがなく、正確な水位検出に基づいて水位制御を行うことができる。
【００４１】
そして、水位センサ４２の検出値は設定水位と比較され、設定水位より所定水位だけ低下したとき、給湯回路８から浴槽２側に給湯を開始し、不足水量を補給する。即ち、浴槽２内の水量が不足している場合には、開閉弁３４を開き、燃料比例弁３０を開いてバーナ２８に点火して燃焼を開始する。加熱された湯水はホッパー３６、切換弁３８を介して往き管１６から浴槽２に補給される。水位センサ４２からの検出値が設定水位に到達すると、開閉弁３４、燃料比例弁３０を閉じて給湯を停止する。温度センサ３２は熱交換器２６側の出湯温度を検出し、この検出温度によって出湯温度を調整する。
【００４２】
次に、図９は、浄化回路１２の濾過器６２の洗浄動作（逆洗動作）を示している。濾過器６２には、湯水４の浄化により内部に不浄物が蓄積し、その結果、湯水４の浄化能力が低下する。そのため、定期的に濾過器６２の逆側から湯水を通水して不浄物を外部に廃棄する必要がある。この濾過器６２の洗浄は所定時間ごとに行う。
【００４３】
浄化運転を開始し、流水スイッチ５８が流水を検出してから所定時間経過したことを浄化制御部１４４が検出すると、切換弁６０を濾過器６２から排出管６８への流路に、切換弁６６をバイパス路６４から濾過器６２への流路に切り換えると共に、主制御部１４０を介して給湯・追焚制御部１４２に洗浄指令を発する。浄化制御部１４４は循環ポンプ５４を駆動させて吸引口６Ｃから浴槽２の湯水４を吸引し、この吸引した湯水４をバイパス路６４を介して濾過器６２を逆方向から流入させ、濾過器６２を通過した湯水４を排水管６８から外部に排出させる。この結果、濾過器６２が洗浄される。
【００４４】
このとき、濾過器６２の洗浄指令に基づき、給湯・追焚制御部１４２は浴槽２への湯水４の補給を行う。これは浴槽２の湯水４を使用して濾過器６２を洗浄し、外部に湯水４を排出するため、浴槽２内の湯水が減少し、これを補給するために前述の給湯動作と同様の湯水４の補給が行われるものである。浴槽２の湯水４は排出とともに湯水４が補給されるため、浴槽２の水位は極端に減少すること無く維持することができる。
【００４５】
【発明の効果】
以上説明したように、本発明によれば、次の効果が得られる。
ａ．追焚回路と浄化回路とを単一の循環接続手段を以て浴槽に接続し、両者の選択的な動作、追焚き動作又は湯水浄化を行うことができるとともに、浴槽の循環接続手段側で両者の水流の干渉を防止したので、従来、浄化動作中に生じていた脈動による水位の検出精度の低下を抑制でき、追焚き動作と浄化動作を同時に行うことができる。このため、追焚きと湯水浄化とを同時又は選択的に行うことができ、清潔で入浴に最適な環境の実現を迅速化することができる。
ｂ．入浴時、追焚き動作と浄化動作とを選択的に行うことを余儀なくされていた従来の制御に比較し、追焚き及び湯水浄化を併用できるので、最適な入浴環境を迅速に実現でき、湯水を清潔化することができる。
【図面の簡単な説明】
【図１】本発明の風呂装置の実施例を示す概略系統図である。
【図２】循環接続装置の一実施例を示す断面図である。
【図３】循環接続装置の分解断面図である。
【図４】循環接続装置の分解断面図である。
【図５】整流カバーを示す正面図である。
【図６】風呂装置の制御装置の概要を示すブロック図である。
【図７】浄化動作と追焚動作を示す図である。
【図８】浄化動作と給湯動作を示す図である。
【図９】給湯動作と濾過器の洗浄動作を示す図である。
【符号の説明】
２  浴槽
４  湯水
６  循環接続装置
６Ａ  吐出口
６Ｂ  吸引口
６Ｃ  吸引口
１０  追焚回路
１２  浄化回路
４０  循環ポンプ
４８  追焚用熱交換器
６２  濾過器
１０４  通路分離管
１１８  整流カバー
【図１】
0003687801.tif 000002
【図２】
0003687801.tif 000003
【図３】
0003687801.tif 000004
【図４】
0003687801.tif 000005
【図５】
0003687801.tif 000006
【図６】
0003687801.tif 000007
【図７】
0003687801.tif 000008
【図８】
0003687801.tif 000009
【図９】
0003687801.tif 000010